(57)【要約】【課題】入力された撮影コマ画像の画像データから適正な写真プリントを得るための画像補正処理技術を提供する。【解決手段】撮影コマ画像の低解像度画像データに基づいて濃度・コントラスト補正用変換テーブルを作成し、濃度・コントラスト補正用変換テーブルを用いて前記低解像度画像データを補正して補正低解像度画像データを出力し、補正低解像度画像データに基づいてカラー補正用変換テーブルを作成し、濃度・コントラスト補正用変換テーブルとカラー補正用変換テーブルを融合して作成した統合補正用変換テーブルを用いて撮影コマ画像の高解像度画像データを補正する画像処理方法。【選択図】        図４
2006157562.tif 000002
【特許請求の範囲】
【請求項１】
入力された撮影コマ画像に適正写真プリントを得るための画像補正処理を施す画像処理方法において、
前記撮影コマ画像の低解像度画像データに基づいて濃度・コントラスト補正用変換テーブルを作成するステップと、
前記濃度・コントラスト補正用変換テーブルを用いて前記低解像度画像データを補正して補正低解像度画像データを出力するステップと、
前記補正低解像度画像データに基づいてカラー補正用変換テーブルを作成するステップと、
前記濃度・コントラスト補正用変換テーブルと前記カラー補正用変換テーブルを融合して統合補正用変換テーブルを作成するステップと、
前記統合補正用変換テーブルを用いて前記撮影コマ画像の高解像度画像データを補正するステップと、
からなることを特徴とする画像処理方法。
【請求項２】
前記撮影コマ画像がカラー画像であり、前記濃度・コントラスト補正用変換テーブルは各色共通で作成され、前記カラー補正用変換テーブルは各色別に作成されることを特徴とする請求項１に記載の画像処理方法。
【請求項３】
前記撮影コマ画像がメガピクセルデジタルカメラによって取得されたものであり、前記低解像度画像データは前記取得された画像データから３０万画素レベルに間引かれた画像データであることを特徴とする請求項１又は２に記載の画像処理方法。
【請求項４】
入力された撮影コマ画像に適正写真プリントを得るための画像補正処理を施すために、
前記撮影コマ画像の低解像度画像データに基づいて濃度・コントラスト補正用変換テーブルを作成する機能と、
前記濃度・コントラスト補正用変換テーブルを用いて前記低解像度画像データを補正して補正低解像度画像データを出力する機能と、
前記補正低解像度画像データに基づいてカラー補正用変換テーブルを作成する機能と、
前記濃度・コントラスト補正用変換テーブルと前記カラー補正用変換テーブルを融合して統合補正用変換テーブルを作成する機能と、
前記統合補正用変換テーブルを用いて前記撮影コマ画像の高解像度画像データを補正する機能と、
をコンピュータに実行させる画像処理プログラム。
【請求項５】
入力された撮影コマ画像に適正写真プリントを得るための画像補正処理を施す画像処理装置において、
前記撮影コマ画像の低解像度画像データに基づいて濃度・コントラスト補正用変換テーブルを作成する第１変換テーブル作成部と、
前記濃度・コントラスト補正用変換テーブルを用いて前記低解像度画像データを補正して補正低解像度画像データを出力する第１補正部と、
前記補正低解像度画像データに基づいてカラー補正用変換テーブルを作成する第２変換テーブル作成部と、
前記濃度・コントラスト補正用変換テーブルと前記カラー補正用変換テーブルを融合して統合補正用変換テーブルを作成する第３変換テーブル作成部と、
前記統合補正用変換テーブルを用いて前記撮影コマ画像の高解像度画像データを補正する第２補正部と、
が備えられていることを特徴とする画像処理装置。
【発明の詳細な説明】
【技術分野】
【０００１】
本発明は、入力された撮影コマ画像に適正写真プリントを得るための画像補正処理を施す画像処理に関する。
【背景技術】
【０００２】
カメラ撮影において、被写体は様々な状況下で撮影されるため、被写体のカラーバランスやコントラストが適正でない撮影コマ画像が取得される。シャッタースピードや絞りの設定、天候、光源の種類などの撮影条件は、適正な撮影コマ画像を取得する上で非常に重要であるにも拘らず、撮影者はこれらの撮影条件をあまり意識せずに、撮影しているのが実情である。特に、近年では、フィルム付きカメラのような性能を簡易にして扱い易くしたフィルムカメラや普及型のデジタルカメラを利用する頻度が高くなっていることにより、不適正な撮影コマ画像が取得される割合が増える傾向にある。また、水中写真撮影においても水による光吸収が波長依存性をもっていることからカラーバランスやコントラストが不適正となってしまう。このような不適正な撮影コマ画像をソースとしてできる限り適正な写真プリントを出力するためには、撮影コマ画像に適切な画像処理を施す必要がある。
【０００３】
適正写真プリントを得るため、このような不適正な撮影コマ画像に基づく画像データを画像処理する種々の技術が知られているが、例えばその１つとして、各色毎の階調ヒストグラムの最高度数に対して、所定割合を下回る度数の画像データを各色毎に除外して残った画像データの階調幅を基準階調幅に引き延ばし又は圧縮し、階調幅の引き延ばし又は圧縮に合わせて画像データの画素値を補正変換することで、カラーバランスおよびコントラストのいずれかまたは両方をある程度補正するものがある（例えば、特許文献１参照。）。
【０００４】
また、フィルムスキャナを用いて写真フィルムから撮影コマ画像の画像データを取り込んで画像処理する場合、以前から、写真フィルムに形成された撮影コマ画像を低解像度スキャニングであるプレスキャンでまずプレスキャンデータとして取り込み、取り込んだ、プレスキャン画像データに対し、取り出した処理条件に従って所定の画像処理（画像の拡大縮小処理、カラーバランス補正処理、濃度変換処理、ハイパートーン処理、ハイパーシャープネス処理等）を行い、その結果が良好であれば、高解像度スキャニングである本スキャンを行うことも知られている（例えば、特許文献２参照。）。
【０００５】
【特許文献１】特開２００４−１４５３９９ 号公報（段落番号００２３−００２９）
【特許文献２】特開平１１−３５３４７６ 号公報（段落番号００７１−００９３）
【発明の開示】
【発明が解決しようとする課題】
【０００６】
入力された撮影コマ画像の画像データは、適正な写真プリントを得るために、濃度・コントラスト補正とカラー補正が施されるが、この２つの補正は同時には処理できないので、入力された撮影コマ画像の画像データに基づいて濃度・コントラスト補正のために作成された変換曲線（変換曲線や変換式は画像処理技術においては変換テーブルという用語でまとめることができる）とカラー補正のために作成された変換曲線や変換式を融合し、融合された新たな変換曲線を用いて画像データの補正が行われていた。しかしながら、このようにあらかじめ複数の変換曲線を融合した後画像補正に用いた場合、カラー補正が弱められてしまい、写真プリント出力を目的とした補正としては不十分なものになることが本願発明者によって見出された。
上記実状に鑑み、本発明の課題は、従来の問題点を取り除き、入力された撮影コマ画像の画像データから適正な写真プリントを得るための画像補正処理技術を提供することである。
【課題を解決するための手段】
【０００７】
入力された撮影コマ画像に適正写真プリントを得るための画像補正処理を施す画像処理方法において、上記課題を解決するため、本発明では、前記撮影コマ画像の低解像度画像データに基づいて濃度・コントラスト補正用変換テーブルを作成するステップと、前記濃度・コントラスト補正用変換テーブルを用いて前記低解像度画像データを補正して補正低解像度画像データを出力するステップと、前記補正低解像度画像データに基づいてカラー補正用変換テーブルを作成するステップと、前記濃度・コントラスト補正用変換テーブルと前記カラー補正用変換テーブルを融合して統合補正用変換テーブルを作成するステップと、前記統合補正用変換テーブルを用いて前記撮影コマ画像の高解像度画像データを補正するステップとからなることを特徴としている。
【０００８】
この方法では、撮影コマ画像の低解像度画像データに基づいて作成された濃度・コントラスト補正用変換テーブルを用いて、この低解像度画像データを補正することにより補正低解像度画像データを求め、この補正低解像度画像データに基づいてカラー補正用変換テーブルを作成し、その後濃度・コントラスト補正用変換テーブルとカラー補正用変換テーブルを融合して作成された統合補正用変換テーブルを用いて前記撮影コマ画像の高解像度画像データが補正される。カラー補正用変換テーブルの作成時には作成された濃度・コントラスト補正用変換テーブルを用いて求められた補正低解像度画像データが使用されているので、従来生じていたカラー補正が弱められてしまうといった問題点は解消された。
【０００９】
ここで用いられている変換テーブルなる用語は画像処理の分野でよく用いられる変換式、変換曲線といった入力値を適正な出力値に変換するものを統括するために用いられている。この変換テーブルの具体的な実施形態としてはＬＵＴ（ルックアップテーブル）と呼ばれるハードウエア又はソフトウエアあるいはその両方で構築されるモジュールが一般的である。
【００１０】
取り扱われる撮影コマ画像がカラー画像である場合、色成分での相違が少ない濃度・コントラスト補正のための変換テーブルは各色共通で作成し、色成分での相違が大きいカラー補正のための変換テーブルは各色別に作成するようにすると、必要以上の演算負荷が抑制され、画像処理速度の向上に貢献できる。
【００１１】
低解像度画像データを用いて各種補正のための変換テーブルを作成し、その変換テーブルを用いて実際に写真プリント出力のために用いられる高解像度画像データの補正を行うと、変換テーブルの作成処理時間が短縮化されて好都合である。メガピクセルデジタルカメラで取得した撮影コマ画像からの写真プリント出力の品質を維持するために要求される精度をもつ変換テーブルを作成するために、本発明では、使用される低解像度画像データのデータサイズを３０万画素程度（例えば６４０×４８０画素）にすることが提案される。あまり小さ過ぎると精度よい変換テーブルを作成することができなくなり、あまり大き過ぎると変換テーブルの作成処理時間が長くなるからである。
【００１２】
本発明では、さらに、上述した画像処理方法をコンピュータに実行させるプログラムや上述した画像処理方法を実施する画像処理装置も権利の対象としており、例えば、そのような画像処理装置は、入力された撮影コマ画像の低解像度画像データに基づいて濃度・コントラスト補正用変換テーブルを作成する第１変換テーブル作成部と、前記濃度・コントラスト補正用変換テーブルを用いて前記低解像度画像データを補正して補正低解像度画像データを出力する第１補正部と、前記補正低解像度画像データに基づいてカラー補正用変換テーブルを作成する第２変換テーブル作成部と、前記濃度・コントラスト補正用変換テーブルと前記カラー補正用変換テーブルを融合して統合補正用変換テーブルを作成する第３変換テーブル作成部と、前記統合補正用変換テーブルを用いて前記撮影コマ画像の高解像度画像データを補正する第２補正部とが備えられている。当然ながら、このような画像処理装置や画像処理方法をコンピュータに実行させるプログラムも上述した画像処理方法に関して述べた作用効果及びすべての追加的特徴とその作用効果を備えることができる。
本発明によるその他の特徴及び利点は、以下図面を用いた実施形態の説明により明らかになるだろう。
【発明を実施するための最良の形態】
【００１３】
本発明の実施の形態について、図面に基づいて説明する。
図１は本発明による画像処理方法を採用した画像処理ユニットを組み込んでいる写真プリントシステムを示す外観図であり、この写真プリントシステムは、印画紙Ｐに対して露光処理と現像処理とを行う写真プリンタとしてのプリントステーション１Ｂと、現像済み写真フィルム（以後単にフィルムと称する）２ａやデジタルカメラ用メモリカード２ｂなどの画像入力メディアから取り込んだ撮影画像を処理してプリントステーション１Ｂで使用されるプリントデータの生成・転送などを行う操作ステーション１Ａとから構成されている。
【００１４】
この写真プリントシステムはデジタルミニラボとも称せられるものであり、図２からよく理解できるように、プリントステーション１Ｂは２つの印画紙マガジン１１に納めたロール状の印画紙Ｐを引き出してシートカッター１２でプリントサイズに切断すると共に、このように切断された印画紙Ｐに対し、バックプリント部１３で色補正情報やコマ番号などのプリント処理情報を印画紙Ｐの裏面に印字するとともに、プリント露光部１４で印画紙Ｐの表面に撮影画像の露光を行い、この露光後の印画紙Ｐを複数の現像処理槽を有した処理槽ユニット１５に送り込んで現像処理する。乾燥の後に装置上部の横送りコンベア１６からソータ１７に送られた印画紙Ｐ、つまり写真プリントＰは、このソータ１７の複数のトレイにオーダ単位で仕分けられた状態で集積される（図１参照）。
【００１５】
上述した印画紙Ｐに対する各種処理に合わせた搬送速度で印画紙Ｐを搬送するために印画紙搬送機構１８が敷設されている。印画紙搬送機構１８は、印画紙搬送方向に関してプリント露光部１４の前後に配置されたチャッカー式印画紙搬送ユニット１８ａを含む複数の挟持搬送ローラ対から構成されている。
【００１６】
プリント露光部１４には、副走査方向に搬送される印画紙Ｐに対して、主走査方向に沿って操作ステーション１Ａからのプリントデータに基づいてＲ（赤）、Ｇ（緑）、Ｂ（青）の３原色のレーザ光線の照射を行うライン露光ヘッドが設けられている。処理槽ユニット１５は、発色現像処理液を貯留する発色現像槽１５ａと、漂白定着処理液を貯留する漂白定着槽１５ｂと、安定処理液を貯留する安定槽１５ｃを備えている。
【００１７】
前記操作ステーション１Ａのデスク状コンソールの上部位置には、フィルム２ａからその撮影コマ画像を表す画像データを取得するフィルムスキャナ２０が配置されており、デジタルカメラ等に装着される撮影画像記録媒体２ｂとして用いられている各種半導体メモリやＣＤ−Ｒなどから撮影コマ画像を表す画像データを取得するメディアリーダ２１は、この写真プリントシステムのコントローラ３として機能する汎用パソコンに組み込まれている。この汎用パソコンには、さらに各種情報を表示するモニタ２３、各種設定や調整を行う際に用いる操作入力部として利用される操作入力デバイスとしてのキーボード２４やマウス２５も接続されている。
【００１８】
この写真プリントシステムのコントローラ３は、ＣＰＵを中核部材として、画像処理を始め写真プリント出力のための種々の処理を行うための機能部をハードウエア又はソフトウエアあるいはその両方で構築しているが、図３に示されているように、本発明に特に関係する機能部としては、フィルムスキャナ２０やメディアリーダ２１によって読み取られた撮影画像データを取り込んで次の処理のためにメモリ３０に転送する画像入力部３１と、各種ウインドウや各種操作ボタンなどを含むグラフィック操作画面の作成やそのようなグラフィック操作画面を通じてのユーザ操作入力（キーボード２４やマウス２５などのポインティングデバイスによる）から制御コマンドを生成するグラフィックユーザインターフェース（以下ＧＵＩと略称する）を構築するＧＵＩ部３２と、メモリ３０に展開されている画像データに対して種々の画像処理を施す画像処理ユニット４０と、メモリ３０に展開されている画像データに基づく撮影コマ画像やＧＵＩ部３２から送られてきたグラフィックデータをモニタ２３に表示させるためのビデオ信号を生成するビデオ制御部３３と、最終的な補正画像データに基づいてプリントステーション１Ｂに装備されているプリント露光部１４に適したプリントデータを生成するプリントデータ生成部３４と、顧客の要望に応じて生の撮影画像データや画像補正が完了した補正撮影画像データなどをＣＤ−Ｒに書き込むための形式にフォーマットするフォーマッタ部３５などが挙げられる。
【００１９】
画像入力部３１は、銀塩カメラによる撮影コマ画像を記録しているフィルム２ａを入力メディアとする場合フィルムスキャナ２０のプレスキャンモードで読み取られた画像データは低解像度画像データとして、本スキャンモードで読み取られた画像データは高解像度画像データとしてメモリ３０に展開し、デジタルカメラによる撮影コマ画像を記録しているメモリカード２ｂを入力メディアとする場合メディアリーダ２１を通じて送り込まれてくる一般にｊｐｅｇなどで圧縮された撮影コマ画像を伸張して高解像度画像データとしてメモリ３０に展開する。デジタルカメラで取得された撮影コマ画像の低解像度画像データは後で説明するようにメモリ３０に展開された高解像度画像データから間引き処理により作成される。このように、１つの撮影コマ画像を表す画像データとして高解像度データと低解像度データの２種類を用意することで、画像補正処理における変換テーブルの設定作業時には低解像度データを用い、この低解像度データに基づいて決定された変換テーブルを用いて高解像度データを画像補正するような構成が、コントローラ３の計算負荷を低減する目的で、採用されている。
【００２０】
画像処理ユニット４０は、基本的にはコンピュータプログラム及びそのプログラムによって生成されたデータ群やあらかじめ用意されたデータ群によって構築されるが、図３では、これらの構成は模式的に図示されており、画像入力部２１を通じて取り込まれた画像データに基本的な画像処理を施す前段画像処理モジュール４０Ａと、写真プリント業界ではよく知られたプレジャッジ作業等を通じてオペレータによって指示された画像処理を施す後段画像処理モジュール４０Ｂに区分けすることができる。
【００２１】
前段画像処理モジュール４０Ａの重要な機能は、入力された不適正な撮影コマ画像に基づく画像データを画像処理して適正な写真プリント出力を可能とすることであるが、この実施形態では、その目的のために濃度・コントラスト補正とカラー補正を行う機能が備えられている。この機能を実現するため、前段画像処理モジュール４０Ａは、デジタルカメラで取得された撮影コマ画像のメガピクセルを超える高解像度画像データから間引き処理により６４０×４８０画素程度の低解像度画像データを作成する画像サイズ変換部４１と、メモリ３０に展開された撮影コマ画像の低解像度画像データに基づいて濃度・コントラスト補正用変換テーブルを作成するためのアルゴリズム演算処理を行う濃度・コントラストＬＵＴ作成部４２と、この濃度・コントラストＬＵＴ作成部４２による演算結果に基づいて設定される濃度・コントラストＬＵＴ４３と、前記濃度・コントラストＬＵＴ４３を用いて前記低解像度画像データを補正して補正低解像度画像データを出力する第１補正部４４と、出力された補正低解像度画像データに基づいてカラー補正用変換テーブルを作成するためのアルゴリズム演算処理を行うカラー補正ＬＵＴ作成部４５と、このカラー補正ＬＵＴ作成部４５による演算結果に基づいて設定されるカラー補正ＬＵＴ４６と、前記濃度・コントラストＬＵＴ４３と前記カラー補正ＬＵＴ４６を融合して統合補正用変換テーブルを作成するための演算処理を行う統合補正ＬＵＴ作成部４７と、この統合補正ＬＵＴ作成部４７による演算結果に基づいて設定される統合補正ＬＵＴ４８と、前記統合補正ＬＵＴ４８を用いてメモリ３０に展開された撮影コマ画像の高解像度画像データを補正する第２補正部４９を備えている。なお、濃度・コントラストＬＵＴ４３やカラー補正ＬＵＴ４６や統合補正ＬＵＴ４８は、概念的には変換曲線であるが、具体的には、入力値を補正された出力値に変換する変換式であってもよいし、変換マトリックスであってもよい。
【００２２】
濃度・コントラスト補正用変換テーブルを作成するためのアルゴリズムやカラー補正用変換テーブルを作成するためのアルゴリズムは、写真プリント処理技術の分野では種々のものが知られているが、本発明ではそのアルゴリズムを限定しているわけではなく、種々のアルゴリズムを利用することが可能である。そのようなアルゴリズムの例としては、前述した特許文献１にも記載されている。
【００２３】
後段画像処理モジュール４０Ｂの重要な機能は、前段画像処理モジュール４０Ａによって普遍的な写真プリントの適正化のために補正された画像データに対して、オペレータの指示に基づいて、さらに精密な色補正及び、トリミングや特殊効果のためのフィルタ処理などを施すことである。このため、この後段画像処理モジュール４０Ｂは、特定の撮影コマ画像を指定しながら補正処理を指示するプレジャッジ作業を制御処理するプレジャッジ処理部５０や、種々のアイテムの画像処理を行うことができる画像処理部５１が備えられている。なお、プレジャッジ作業では、撮影コマ画像毎のプリントの要否、プリント枚数、プリントサイズを指定することもできる。また、プレジャッジ作業時には、モニタ２３に予想仕上がりプリント画像としてのシミュレート画像を表示するため、画像処理部５１には、シミュレート画像の生成機能も含まれている。
【００２４】
次に、この画像処理ユニット４０を用いて、入力されてきた撮影コマ画像を適正写真プリントにするためにその撮影コマ画像の画像データに画像補正処理を施す際の典型的な流れを図４のフローチャートを用いて説明する。
【００２５】
顧客がプリントソースとして持参してきた写真記録メディアの種別に応じて、フィルムスキャナ２０またはメディアリーダ２１が用いられ、いずれにしても撮影コマ画像をデジタル化して取得された画像データが画像入力部３１を通じてメモリ３０に送り込まれるが、写真記録メディアがメモリカード２ｂの場合、メモリカード２ｂがメディアリーダ２１に装填されると（＃０１）、そのメモリカード２ｂから画像ファイルが読み取られ、圧縮された画像ファイルを伸張させたのち高解像度画像データとしてメモリ３０に展開する（＃０２）。さらに、画像サイズ変換部４１がその高解像度画像データを間引き処理して低解像度画像データを作成し、メモリ３０に展開する（＃０３）。写真記録メディアがフィルム２ａの場合、フィルム２ａがフィルムスキャナ２０に装填されると（＃０４）、フィルムスキャナ２０をプレスキャンモードで駆動して（＃０５）、そのフィルム２ａから撮影コマ画像を低解像度で読み取り、低解像度画像データとしてメモリ３０に展開する（＃０６）。
【００２６】
次いで、濃度・コントラストＬＵＴ作成部４２は実装されている濃度・コントラスト補正アルゴリズムを用いてメモリ３０に展開された低解像度画像データに基づいて濃度・コントラスト変換曲線（変換テーブル）を作成するための演算処理を行う（＃１０）。この演算処理によって得られた濃度・コントラスト変換曲線（変換テーブル）の一例が図５に示されている。この濃度・コントラスト変換テーブルは各色（Ｒ・Ｇ・Ｂ）共通である。得られた濃度・コントラスト変換曲線に基づいて濃度・コントラストＬＵＴ４３が設定構築される（＃１１）。
【００２７】
次に、第１補正部４４が、設定構築された濃度・コントラストＬＵＴ４３を用いてメモリ３０に展開されている低解像度画像データを濃度・コントラスト補正する（＃１２）。この補正された低解像度画像データはカラー補正ＬＵＴ作成部４５によって使用される。カラー補正ＬＵＴ作成部４５は、実装されているカラー補正アルゴリズムを用いて前述した補正された低解像度画像データに基づいて色（Ｒ・Ｇ・Ｂ）毎のカラー補正変換曲線（変換テーブル）を作成するための演算処理を行う（＃１３）。この演算処理によって得られたカラー補正変換曲線の内、ＢとＲの一例がそれぞれ図６の（ａ）と（ｂ）に示されている。得られたカラー補正変換曲線に基づいて色毎のカラー補正ＬＵＴ４６が設定構築される（＃１４）。
【００２８】
次に、統合補正ＬＵＴ作成部４７が設定構築された濃度・コントラストＬＵＴ４３とカラー補正ＬＵＴ４６とを融合処理して、つまり濃度・コントラスト変換曲線を各色のカラー補正変換曲線に融合させて、統合された補正変換曲線を作成する（＃１５）。得られた統合された補正変換曲線の一例（ＢとＲ）が、図７の（ａ）と（ｂ）に示されている。この統合された補正変換曲線に基づいて色毎の統合補正ＬＵＴ４８が設定構築される（＃１６）。
【００２９】
濃度・コントラスト補正とカラー補正を同時に行う統合補正ＬＵＴ４８が構築されると、次は写真プリント出力に用いられる高解像度画像データを補正することになるが、写真記録メディアがフィルム２ａであった場合プレスキャンにより低解像度画像データしか取り込まれていないので、この段階でフィルムスキャナ２０を本キャンモードで駆動して（＃１７）、そのフィルム２ａから撮影コマ画像を高解像度で読み取り、高解像度画像データとしてメモリ３０に展開するとよい（＃１８）。フィルムスキャナ２０においてプレスキャンから本スキャンに入るまでにフィルム２ａの戻し搬送が必要となるので、その戻し搬送時間が有効に利用できるからである。いずれにしても、高解像度画像データの用意が整うと、第２補正部４９が統合補正ＬＵＴ４８を用いて高解像度画像データを補正する（＃１９）。
【００３０】
第２補正部４９によって補正された高解像度画像データは、適正な写真プリントを出力するためにほぼ十分であるが、オペレータによるマニュアルチェックや特殊な画像処理あるいは特別なプリントサイズやプリント枚数を指定するために、よく知られたプレジャッジ作業が行われる（＃２０）。このプレジャッジ作業において各撮影コマ画像に対する各種補正設定やプリント枚数設定などが完了すると、対応する高解像度画像データは画像処理部５１によってプレジャッジ作業の設定に基づいた画像処理を施され（＃２１）、さらにプリントデータ生成部３４に送られ、プリントデータに変換される（＃２２）。このプリントデータはプリントステーション１Ｂのプリント露光部１４に転送され、これに基づいてプリント露光部１４が発光制御されることにより、写真プリントが出力される（＃２３）。
【産業上の利用可能性】
【００３１】
本発明による、適正写真プリントを得るために入力された撮影コマ画像を画像処理する技術は、撮影コマ画像を保持している写真記録メディアの種別に関係なく、広く写真プリントのための画像処理技術に適用することができる。
【図面の簡単な説明】
【００３２】
【図１】本発明による画像処理技術を採用した写真プリントシステムの外観図
【図２】写真プリントシステムのプリントステーションの構成を模式的に示す模式図
【図３】写真プリントシステムのコントローラ内に構築される機能要素を説明する機能ブロック図
【図４】入力された撮影コマ画像の画像データに画像補正処理を施す際の典型的な流れを示すフローチャート
【図５】濃度・コントラスト変換曲線（変換テーブル）の一例を示すグラフ
【図６】ＢとＲのカラー補正変換曲線の一例を示すグラフ
【図７】ＢとＲの統合補正変換曲線の一例を示すグラフ
【符号の説明】
【００３３】
３０：メモリ
４０：画像処理ユニット
４０Ａ：前段画像処理モジュール
４０Ｂ：後段画像処理モジュール
４１：画像サイズ変換部
４２：濃度・コントラストＬＵＴ作成部（第１変換テーブル作成部）
４３：濃度・コントラストＬＵＴ（濃度・コントラスト補正用変換テーブル）
４４：第１補正部
４５：カラー補正ＬＵＴ作成部（第２変換テーブル作成部）
４６：カラー補正ＬＵＴ（カラー補正用変換テーブル）
４７：統合補正ＬＵＴ作成部（第３変換テーブル作成部）
４８：統合補正ＬＵＴ（統合補正用変換テーブル）
【図１】
2006157562.tif 000003
【図２】
2006157562.tif 000004
【図３】
2006157562.tif 000005
【図４】
2006157562.tif 000006
【図５】
2006157562.tif 000007
【図６】
2006157562.tif 000008
【図７】
2006157562.tif 000009